(57)【要約】【課題】３Ｄ映像コンテンツと２Ｄ映像コンテンツが記録されたディスクを再生する場合に、いずれのコンテンツでも所望のコンテンツをユーザが容易に見ることが可能となり、利便性が向上するディスク再生装置を提供する。【解決手段】ディスクに３Ｄ映像コンテンツが含まれているか否かを判定する３Ｄ映像コンテンツ有無判定部を備え、３Ｄ映像コンテンツが含まれていると判定されると、表示制御部が３Ｄ映像を再生するか否かを確認する確認画面を表示部に表示させ、前記確認画面において操作部の操作により３Ｄ映像を再生するか否かが選択されると、その選択結果に応じて再生部は前記ディスクに記録された３Ｄ映像コンテンツまたは２Ｄ映像コンテンツを再生するディスク再生装置とする。【選択図】図１
2012243330.tif 000002
【特許請求の範囲】
【請求項１】
ディスクに記録された３Ｄ映像コンテンツおよび２Ｄ映像コンテンツを再生する再生部と、表示部に画面を表示させる表示制御部とを備えたディスク再生装置において、
ディスクに３Ｄ映像コンテンツが含まれているか否かを判定する３Ｄ映像コンテンツ有無判定部をさらに備え、
３Ｄ映像コンテンツが含まれていると判定されると、前記表示制御部が３Ｄ映像を再生するか否かを確認する確認画面を表示部に表示させ、
前記確認画面において操作部の操作により３Ｄ映像を再生するか否かが選択されると、その選択結果に応じて前記再生部は前記ディスクに記録された３Ｄ映像コンテンツまたは２Ｄ映像コンテンツを再生することを特徴とするディスク再生装置。
【請求項２】
前記３Ｄ映像コンテンツ有無判定部により３Ｄ映像コンテンツが含まれていると判定されると、前記表示部が３Ｄ映像表示に対応するか否かを判定する表示部判定部を備え、
前記表示部が３Ｄ映像表示に対応すると判定された場合、前記表示制御部が前記確認画面を前記表示部に表示させ、前記表示部が３Ｄ映像表示に対応しないと判定された場合、前記再生部は前記ディスクに記録された２Ｄ映像コンテンツを再生することを特徴とする請求項１に記載のディスク再生装置。
【請求項３】
前記ディスクをマウントするマウント部を備え、
前記マウント部が前記ディスクをマウントすると、前記３Ｄ映像コンテンツ有無判定部が判定を行うことを特徴とする請求項１または請求項２に記載のディスク再生装置。
【請求項４】
前記ディスクをイジェクトするイジェクト部と、
前記確認画面において前記操作部の操作により３Ｄ映像を再生しないことが選択されると、前記ディスクに２Ｄ映像コンテンツが含まれているか否かを判定する２Ｄ映像コンテンツ有無判定部とを備え、
２Ｄ映像コンテンツが含まれていると判定された場合、前記再生部は前記ディスクに記録された２Ｄ映像コンテンツを再生し、２Ｄ映像コンテンツが含まれていないと判定された場合、前記表示制御部がエラー画面を前記表示部に表示させると共に、前記イジェクト部が前記ディスクをイジェクトすることを特徴とする請求項１〜請求項３のいずれかに記載のディスク再生装置。
【請求項５】
前記ディスクをイジェクトするイジェクト部と、
前記確認画面において前記操作部の操作により３Ｄ映像を再生しないことが選択されると、前記ディスクに２Ｄ映像コンテンツが含まれているか否かを判定する２Ｄ映像コンテンツ有無判定部とを備え、
２Ｄ映像コンテンツが含まれていると判定された場合、前記再生部は前記ディスクに記録された２Ｄ映像コンテンツを再生し、２Ｄ映像コンテンツが含まれていないと判定された場合、前記表示制御部は３Ｄ映像を再生するか否かを確認する確認画面を前記表示部に表示させ、
この確認画面において前記操作部の操作により再生することが選択された場合、前記再生部が前記ディスクに記録された３Ｄ映像コンテンツを再生し、再生しないことが選択された場合、前記イジェクト部が前記ディスクをイジェクトすることを特徴とする請求項１〜請求項３のいずれかに記載のディスク再生装置。
【発明の詳細な説明】
【技術分野】
【０００１】
本発明は、３Ｄ映像コンテンツを再生可能なディスク再生装置に関する。
【背景技術】
【０００２】
近年、ブルーレイディスク等の大容量ディスクの開発により、通常の２Ｄ映像コンテンツのみならず、３Ｄ映像コンテンツが記録されたディスクが登場しており、そのようなディスクを再生可能なディスク再生装置も登場している。
【０００３】
例えば、特許文献１には、記憶媒体上に記憶されたビデオコンテンツが３Ｄビデオコンテンツを含むかどうかを決定し、該ビデオコンテンツが表示されるディスプレイユニットが３Ｄビデオコンテンツを表示可能かどうかを決定し、該ディスプレイユニットが３Ｄビデオコンテンツを表示可能である場合には３Ｄビデオディスプレイモードに切り換えさせるために該ディスプレイユニットに指示を送信し、該ディスプレイユニットが３Ｄビデオコンテンツを表示可能である場合には該ディスプレイユニットに３Ｄビデオコンテンツを送信するよう構成される３Ｄメディアプレーヤが開示されている。
【先行技術文献】
【特許文献】
【０００４】
【特許文献１】特開２０１０−５０９６８号公報（請求項３等）
【発明の概要】
【発明が解決しようとする課題】
【０００５】
しかしながら、上記特許文献１の３Ｄメディアプレーヤでは、記憶媒体上に３Ｄビデオコンテンツと２Ｄビデオコンテンツが記録されている場合、３Ｄビデオコンテンツが含まれるとして、ディスプレイユニットに３Ｄビデオコンテンツが表示されることになり、２Ｄビデオコンテンツを見たいユーザにとっては不便である。３Ｄビデオコンテンツは例えば目が疲れるからという理由で２Ｄビデオコンテンツを見たいというユーザもいる。
【０００６】
上記問題点に鑑み、本発明は、３Ｄ映像コンテンツと２Ｄ映像コンテンツが記録されたディスクを再生する場合に、いずれのコンテンツでも所望のコンテンツをユーザが容易に見ることが可能となり、利便性が向上するディスク再生装置を提供することを目的とする。
【課題を解決するための手段】
【０００７】
上記目的を達成するために本発明は、ディスクに記録された３Ｄ映像コンテンツおよび２Ｄ映像コンテンツを再生する再生部と、表示部に画面を表示させる表示制御部とを備えたディスク再生装置において、
ディスクに３Ｄ映像コンテンツが含まれているか否かを判定する３Ｄ映像コンテンツ有無判定部をさらに備え、
３Ｄ映像コンテンツが含まれていると判定されると、前記表示制御部が３Ｄ映像を再生するか否かを確認する確認画面を表示部に表示させ、
前記確認画面において操作部の操作により３Ｄ映像を再生するか否かが選択されると、その選択結果に応じて前記再生部は前記ディスクに記録された３Ｄ映像コンテンツまたは２Ｄ映像コンテンツを再生する構成とする。
【０００８】
このような構成によれば、３Ｄ映像コンテンツと２Ｄ映像コンテンツが記録されたディスクを再生する場合に、確認画面における選択操作に応じて３Ｄ映像コンテンツと２Ｄ映像コンテンツのいずれの所望のコンテンツもユーザが容易に見ることができる。
【０００９】
また、上記構成において、前記３Ｄ映像コンテンツ有無判定部により３Ｄ映像コンテンツが含まれていると判定されると、前記表示部が３Ｄ映像表示に対応するか否かを判定する表示部判定部を備え、
前記表示部が３Ｄ映像表示に対応すると判定された場合、前記表示制御部が前記確認画面を前記表示部に表示させ、前記表示部が３Ｄ映像表示に対応しないと判定された場合、前記再生部は前記ディスクに記録された２Ｄ映像コンテンツを再生する構成としてもよい。
【００１０】
このような構成によれば、コンテンツを表示させる表示部が３Ｄ映像表示に対応しない場合に不適切となる３Ｄ映像コンテンツが再生されてしまうことを防げる。
【００１１】
また、上記いずれかの構成において、前記ディスクをマウントするマウント部を備え、前記マウント部が前記ディスクをマウントすると、前記３Ｄ映像コンテンツ有無判定部が判定を行う構成としてもよい。
【００１２】
このような構成によれば、ユーザがディスクをマウント部にマウントさせるだけで確認画面が表示されるので、利便性が高い。
【００１３】
また、上記いずれかの構成において、前記ディスクをイジェクトするイジェクト部と、
前記確認画面において前記操作部の操作により３Ｄ映像を再生しないことが選択されると、前記ディスクに２Ｄ映像コンテンツが含まれているか否かを判定する２Ｄ映像コンテンツ有無判定部とを備え、
２Ｄ映像コンテンツが含まれていると判定された場合、前記再生部は前記ディスクに記録された２Ｄ映像コンテンツを再生し、２Ｄ映像コンテンツが含まれていないと判定された場合、前記表示制御部がエラー画面を前記表示部に表示させると共に、前記イジェクト部が前記ディスクをイジェクトする構成としてもよい。
【００１４】
このような構成によれば、ディスクに３Ｄ映像コンテンツのみが記録されている場合、確認画面で３Ｄ映像を再生しないことが選択されると、エラー画面が表示され、ディスクをイジェクトすることができる。
【００１５】
また、上記いずれかの構成において、前記ディスクをイジェクトするイジェクト部と、
前記確認画面において前記操作部の操作により３Ｄ映像を再生しないことが選択されると、前記ディスクに２Ｄ映像コンテンツが含まれているか否かを判定する２Ｄ映像コンテンツ有無判定部とを備え、
２Ｄ映像コンテンツが含まれていると判定された場合、前記再生部は前記ディスクに記録された２Ｄ映像コンテンツを再生し、２Ｄ映像コンテンツが含まれていないと判定された場合、前記表示制御部は３Ｄ映像を再生するか否かを確認する確認画面を前記表示部に表示させ、
この確認画面において前記操作部の操作により再生することが選択された場合、前記再生部が前記ディスクに記録された３Ｄ映像コンテンツを再生し、再生しないことが選択された場合、前記イジェクト部が前記ディスクをイジェクトする構成としてもよい。
【００１６】
このような構成によれば、ディスクに３Ｄ映像コンテンツのみが記録されている場合、確認画面で３Ｄ映像を再生しないことが選択されると、さらに３Ｄ映像を再生するか否かを確認する確認画面が表示される。ここで再生を選択すれば３Ｄ映像コンテンツを再生することもできるし、再生しないことを選択すればディスクをイジェクトすることもできる。
【発明の効果】
【００１７】
本発明によると、３Ｄ映像コンテンツと２Ｄ映像コンテンツが記録されたディスクを再生する場合に、いずれのコンテンツでも所望のコンテンツをユーザが容易に見ることが可能となり、利便性が向上する。
【図面の簡単な説明】
【００１８】
【図１】本発明の一実施形態に係るブルーレイディスク再生装置の概略構成図である。
【図２】本発明の第１実施形態に係るコンテンツ再生処理に関するフローチャートである。
【図３】本発明の第１実施形態に係るコンテンツ再生処理において表示される確認画面の一例を示す図である。
【図４】本発明の第２実施形態に係るコンテンツ再生処理に関するフローチャートである。
【図５】本発明の第２実施形態に係るコンテンツ再生処理において表示されるエラー画面の一例を示す図である。
【図６】本発明の第３実施形態に係るコンテンツ再生処理に関するフローチャートである。
【図７】本発明の第３実施形態に係るコンテンツ再生処理において表示される確認画面の一例を示す図である。
【発明を実施するための形態】
【００１９】
以下に本発明の実施形態を図面を参照して説明する。ここでは、ディスク再生装置としてブルーレイディスク再生装置を一例として説明する。本発明の一実施形態に係るブルーレイディスク再生装置１００の概略構成を図１に示す。
【００２０】
図１に示すブルーレイディスク再生装置１００は、光ピックアップ２と、スピンドルモータ３と、信号処理部４と、デコーダ５と、ＨＤＭＩ（High-Definition Multimedia Interface）通信部６と、ＯＳＤ（On Screen Display）部７と、システム制御部８と、リモコン受信部９とを備えている。ＨＤＭＩ通信部６には、外部のテレビ装置２００がＨＤＭＩケーブルによって接続される。ＨＤＭＩは、映像音声信号および制御信号を１本のケーブルでデジタル送信できるインタフェースである。
【００２１】
また、光ピックアップ２、信号処理部４およびデコーダ５から再生部が構成される。
【００２２】
スピンドルモータ３は、ターンテーブル（不図示）を介してブルーレイディスク（以下、ＢＤ）１を回転駆動するモータである。光ピックアップ２は、不図示のレーザダイオード、対物レンズ、対物レンズアクチュエータ、フォトディテクタ等を有し、回転駆動されるＢＤ１の記録面にレーザを照射し、記録面での反射光に基づくＲＦ信号を出力する。なお、光ピックアップ２は、不図示のスレッドモータによりＢＤ１の半径方向に駆動される。また、光ピックアップ２、スピンドルモータ３、ターンテーブルおよびスレッドモータは、ローダ装置（不図示）に含まれており、ローダ装置は、ディスクをマウントおよびイジェクトするローダ機構（不図示）を有している。
【００２３】
信号処理部４は、光ピックアップ２が出力するＲＦ信号をＡ／Ｄ変換して２値化し、２値化データに対して復調およびエラー訂正を行い、再生データを取り出してデコード５に出力する。再生データはデコーダ５によりデコードされる。デコード後の映像音声データは、ＨＤＭＩ通信部６によりＴＭＤＳ（Transition Minimized Differential Signaling）方式の映像音声信号に変換されてテレビ装置２００に出力される。テレビ装置２００は入力された映像音声信号に基づき映像を表示し、音声を発生させる。
【００２４】
特に、ＢＤ１に記録された３Ｄ映像コンテンツを再生する場合は、ＨＤＭＩ通信部６からは右目用映像信号および左目用映像信号がテレビ装置２００に出力され、テレビ装置２００には右目用画像、左目用画像が交互に表示される。このとき、テレビ装置２００は視聴者が装着したメガネに同期信号を送信し、メガネの左右のシャッターを画像表示に同期させて開閉させる。これにより、左右視差による立体表示感覚を視聴者は得ることができる。
【００２５】
ＯＳＤ部７は、システム制御部８の指示によりＯＳＤ信号を生成し、ＨＤＭＩ通信部６を介してＯＳＤ信号をテレビ装置２００に送信し、テレビ装置２００にＯＳＤ画面を表示させる。
【００２６】
システム制御部８は、例えばマイクロコンピュータから構成され、ブルーレイディスク再生装置１００を構成する各部を制御する。また、システム制御部８は、ＨＤＭＩ通信部６を介してテレビ装置２００との制御信号の送受信を行う。
【００２７】
リモコン受信部９は、リモコン装置５０から操作に応じたリモコン信号を受信し、受信したリモコン信号をリモコンコードに変換してシステム制御部８に出力する。
【００２８】
（第１実施形態）
次に、以上のような構成であるブルーレイディスク再生装置１００が行うコンテンツ再生処理について説明する。本発明の第１実施形態に係るコンテンツ再生処理に関するフローチャートを図２に示す。なお、本処理は、ＢＤ１が３Ｄ映像コンテンツおよび２Ｄ映像コンテンツが記録されたディスクである場合と、２Ｄ映像コンテンツのみ記録されたディスクである場合に対応している。
【００２９】
ＢＤ１をローダ装置（不図示）に挿入すると、ローダ機構（不図示）によりＢＤ１がマウントされ、スピンドルモータ３の回転駆動が開始されると、図２の処理が開始される。図２の処理が開始されると、ステップＳ２１で、システム制御部８は、光ピックアップ２によりＢＤ１から読み出されたフォルダ・ファイル構成に基づいてＢＤ１がＢＤ−Ｖｉｄｅｏディスクであると判別する。
【００３０】
次に、ステップＳ２２で、ＢＤ１に３Ｄ映像コンテンツが含まれているか否かを示すフラグ情報を光ピックアップ２によりＢＤ１から読み出す。具体的には、index.bdmv / AppInfoBDMV / ss.content_exist.flgを読み出せばよい。システム制御部８は、読み出したフラグ情報に基づきＢＤ１に３Ｄ映像コンテンツが含まれているか否かを判定する。
【００３１】
もし、３Ｄ映像コンテンツが含まれていれば（ステップＳ２２のＹ）、後述のステップＳ２３に進む。一方、３Ｄ映像コンテンツが含まれていなければ（ステップＳ２２のＮ）、ＢＤ１に記録された２Ｄ映像コンテンツが再生部により再生開始され、テレビ装置２００での２Ｄ映像の表示が開始される。
【００３２】
ステップＳ２３で、システム制御部８は、テレビ装置２００が３Ｄ映像表示に対応するか否かを判定する。例えば、システム制御部８は、３Ｄ映像表示用の解像度に対応するか否かをＨＤＭＩ通信部６を介してテレビ装置２００に問い合わせを行う。そして、システム制御部８は、テレビ装置２００から３Ｄ映像表示用の解像度に対応する／しないの旨の返答をＨＤＭＩ通信部６を介して受け、返答に基づきテレビ装置２００が３Ｄ映像表示に対応するか否かを判定する。
【００３３】
もし、テレビ装置２００が３Ｄ映像表示に対応していれば（ステップＳ２３のＹ）、ステップＳ２４に進み、対応していなければ（ステップＳ２３のＮ）、ＢＤ１に記録された２Ｄ映像コンテンツの再生が開始される。
【００３４】
ステップＳ２４で、システム制御部８の指示によりＯＳＤ部７は、３Ｄ映像を再生するかどうかの確認画面をテレビ装置２００に表示させる。この確認画面の一例を図３に示す。本画面で「はい」がリモコン装置５０の操作により選択された場合（ステップＳ２５のＹ）、ＢＤ１に記録された３Ｄ映像コンテンツが再生部により再生開始され、テレビ装置２００での３Ｄ映像の表示が開始される。一方、上記画面で「いいえ」がリモコン装置５０の操作により選択された場合（ステップＳ２５のＮ）、ＢＤ１に記録された２Ｄ映像コンテンツの再生が開始される。
【００３５】
このような第１実施形態によれば、３Ｄ映像コンテンツと２Ｄ映像コンテンツが記録されたＢＤ１をブルーレイディスク再生装置１００に挿入すると、３Ｄ映像を再生するかどうかの確認画面が表示されるので、ＢＤ１に３Ｄ映像コンテンツが含まれることをユーザが分かる。そして、３Ｄ映像コンテンツを見たいユーザは、３Ｄ映像の再生を選択すれば３Ｄ映像を見ることができるし、目が疲れる等の理由で３Ｄ映像コンテンツを見たくないユーザは、３Ｄ映像の再生を選択しなければ２Ｄ映像を見ることができる。また、２Ｄ映像コンテンツのみが記録されたＢＤ１の場合は、ステップＳ２２の判定でＮとなり、自動的に２Ｄ映像が表示される。
【００３６】
（第２実施形態）
本発明の第２実施形態に係るコンテンツ再生処理に関するフローチャートを図４に示す。本処理は、ＢＤ１が３Ｄ映像コンテンツおよび２Ｄ映像コンテンツが記録されたディスクである場合と、２Ｄ映像コンテンツのみ記録されたディスクである場合と、３Ｄ映像コンテンツのみ記録されたディスクである場合に対応している。
【００３７】
図４に示す処理は、図２に示す処理（第１実施形態）と同様にＢＤ１をローダ装置（不図示）に挿入すると開始される。ステップＳ４１〜ステップＳ４５の処理については図２に示す処理のステップＳ２１〜ステップＳ２５と同様である。
【００３８】
ステップＳ４２でＢＤ１に３Ｄ映像コンテンツが含まれない場合（ステップＳ４２のＮ）、またはステップＳ４３でテレビ装置２００が３Ｄ映像表示に対応しない場合（ステップＳ４３のＮ）、またはステップＳ４４で表示される確認画面において３Ｄ映像の再生をしないよう選択された場合（ステップＳ４５のＮ）に、ステップＳ４６へ進む。
【００３９】
ステップＳ４６で、システム制御部８は、ＢＤ１に２Ｄ映像コンテンツが含まれるか否かを判定する。例えば、ＢＤ１に記録されたフラグ情報に基づき判定すればよい。もし、ＢＤ１に２Ｄ映像コンテンツが含まれていれば（ステップＳ４６のＹ）、２Ｄ映像コンテンツの再生が開始される。一方、２Ｄ映像コンテンツが含まれていない場合は（ステップＳ４６のＮ）、ステップＳ４７に進み、ＯＳＤ部７がテレビ装置２００にエラー画面を表示させる。エラー画面の一例を図５に示す。その後、システム制御部８の指示により、ローダ機構がＢＤ１をイジェクトする。
【００４０】
このような第２実施形態によれば、ＢＤ１に３Ｄ映像コンテンツと２Ｄ映像コンテンツが記録されている場合は、確認画面において３Ｄ映像再生を選択しなければ（ステップＳ４５のＮ）、２Ｄ映像コンテンツが含まれるので（ステップＳ４６のＹ）、２Ｄ映像コンテンツが再生される。
【００４１】
ＢＤ１に３Ｄ映像コンテンツのみが記録されている場合は、確認画面において３Ｄ映像再生を選択しなければ（ステップＳ４５のＮ）、２Ｄ映像コンテンツが含まれないので（ステップＳ４６のＮ）、エラー表示され（ステップＳ４７）、ＢＤ１がイジェクトされる。また、ＢＤ１に３Ｄ映像コンテンツのみが記録されている場合に、テレビ装置２００が３Ｄ映像表示に対応しない場合（ステップＳ４３のＮ）、２Ｄ映像コンテンツが含まれないので（ステップＳ４６のＮ）、エラー表示され（ステップＳ４７）、ＢＤ１がイジェクトされる。
【００４２】
（第３実施形態）
本発明の第３実施形態に係るコンテンツ再生処理に関するフローチャートを図６に示す。本処理は、ＢＤ１が３Ｄ映像コンテンツおよび２Ｄ映像コンテンツが記録されたディスクである場合と、２Ｄ映像コンテンツのみ記録されたディスクである場合と、３Ｄ映像コンテンツのみ記録されたディスクである場合に対応している。
【００４３】
図６に示す処理は、図２に示す処理（第１実施形態）と同様にＢＤ１をローダ装置（不図示）に挿入すると開始される。ステップＳ６１〜ステップＳ６５の処理については図２に示す処理のステップＳ２１〜ステップＳ２５と同様である。
【００４４】
ステップＳ６２でＢＤ１に３Ｄ映像コンテンツが含まれない場合（ステップＳ６２のＮ）、またはステップＳ６３でテレビ装置２００が３Ｄ映像表示に対応しない場合（ステップＳ６３のＮ）に、ステップＳ６６へ進む。
【００４５】
ステップＳ６６で、システム制御部８は、ＢＤ１に２Ｄ映像コンテンツが含まれるか否かを判定する。もし、ＢＤ１に２Ｄ映像コンテンツが含まれていれば（ステップＳ６６のＹ）、２Ｄ映像コンテンツの再生が開始される。一方、２Ｄ映像コンテンツが含まれていない場合は（ステップＳ６６のＮ）、ステップＳ６７に進み、ＯＳＤ部７がテレビ装置２００にエラー画面を表示させる。エラー画面は例えば図５に示す画面とする。その後、システム制御部８の指示により、ローダ機構がＢＤ１をイジェクトする。
【００４６】
また、ステップＳ６４で表示される確認画面において３Ｄ映像の再生をしないよう選択された場合（ステップＳ６５のＮ）、ステップＳ６８へ進む。
【００４７】
ステップＳ６８で、システム制御部８は、ＢＤ１に２Ｄ映像コンテンツが含まれるか否かを判定する。もし、ＢＤ１に２Ｄ映像コンテンツが含まれていれば（ステップＳ６８のＹ）、２Ｄ映像コンテンツの再生が開始される。一方、２Ｄ映像コンテンツが含まれていない場合は（ステップＳ６８のＮ）、ステップＳ６９に進み、ＯＳＤ部７がテレビ装置２００に３Ｄ映像コンテンツを再生するかどうかの確認画面を表示させる。本画面の一例を図７に示す。
【００４８】
本画面において「はい」がリモコン装置５０の操作により選択されると（ステップＳ７０のＹ）、３Ｄ映像コンテンツの再生が開始される。一方、「いいえ」が選択されると（ステップＳ７０のＮ）、システム制御部８の指示により、ローダ機構がＢＤ１をイジェクトする。
【００４９】
このような第３実施形態によれば、ＢＤ１に３Ｄ映像コンテンツと２Ｄ映像コンテンツが記録されている場合は、確認画面において３Ｄ映像再生を選択しなければ（ステップＳ６５のＮ）、２Ｄ映像コンテンツが含まれるので（ステップＳ６８のＹ）、２Ｄ映像コンテンツが再生される。
【００５０】
ＢＤ１に３Ｄ映像コンテンツのみが記録されている場合は、確認画面において３Ｄ映像再生を選択しなければ（ステップＳ６５のＮ）、２Ｄ映像コンテンツが含まれないので（ステップＳ６８のＮ）、確認画面が表示される（ステップＳ６９）。そして、３Ｄ映像コンテンツの再生が選択されれば（ステップＳ７０のＹ）、３Ｄ映像コンテンツが再生され、３Ｄ映像コンテンツの再生が選択されなければ（ステップＳ７０のＮ）、ＢＤ１はイジェクトされる。
【００５１】
また、ＢＤ１に３Ｄ映像コンテンツのみが記録されている場合に、テレビ装置２００が３Ｄ映像表示に対応しない場合（ステップＳ６３のＮ）、２Ｄ映像コンテンツが含まれないので（ステップＳ６６のＮ）、エラー表示され（ステップＳ６７）、ＢＤ１がイジェクトされる。
【００５２】
以上、本発明の一実施形態について説明したが、本発明の趣旨の範囲内であれば、実施形態は種々に変更が可能である。
【００５３】
例えば、上記実施形態では、ＨＤＭＩを用いてテレビ装置２００との通信を行っていたが、その他にもＵＳＢ（Universal Serial Bus）、ＩＥＥＥ１３９４（Institute of Electrical and Electronic Engineers 1394）、ＬＡＮ（Local Area Network）等を用いてテレビ装置２００との通信を行うようにしてもよい。
【００５４】
また、本発明は、ブルーレイディスク再生装置に限らず、例えば他の光ディスクの再生装置やハードディスクの再生装置に適用してもよい。
【符号の説明】
【００５５】
１  ブルーレイディスク（ＢＤ）
２  光ピックアップ
３  スピンドルモータ
４  信号処理部
５  デコーダ
６  ＨＤＭＩ通信部
７  ＯＳＤ部
８  システム制御部
９  リモコン受信部
５０  リモコン装置
１００  ブルーレイディスク再生装置
２００  テレビ装置
【図１】
2012243330.tif 000003
【図２】
2012243330.tif 000004
【図３】
2012243330.tif 000005
【図４】
2012243330.tif 000006
【図５】
2012243330.tif 000007
【図６】
2012243330.tif 000008
【図７】
2012243330.tif 000009